(57)【要約】  本発明は、レーザトラッカのための、光点を形成する基準目印（５２，５２ａ）を有している測定補助対象物（５０）の空間的な姿勢を決定するための方法に関する。レーザトラッカは、台座と、モータ駆動式に旋回可能である支持部と、傾斜軸を中心としてモータ駆動式に回動可能であり、且つ、光点の画像を検出する画像検出ユニットを備えている旋回ユニットと、レーザビームを放射するビーム源とを有している。本方法の枠内では、測定補助対象物（５０）の方向における画像が、それぞれ検出可能な光点と共に検出され、画像内で検出された光点に関する画像内の画像位置から、画像評価を用いて測定補助対象物（５０）の空間的な姿勢が導出される。更に、画像評価のための、画像内の個々の光点の外観に関する局所的な考慮判定基準が規定されているか、又は、画像評価のための、画像内の複数の光点間の空間関係に関する大域的な考慮判定基準が規定されている。画像内で検出された光点のうちの少なくとも一つの光点について考慮判定基準が満たされているかが、検出された画像から得られる光点に関する画像情報を考慮判定基準と比較することによって検査される。考慮判定基準が満たされていない場合、光点は空間的な姿勢の導出に関して考慮されない。
2015537205.tif 000002
【特許請求の範囲】
【請求項１】
レーザトラッカ（１０，１１）のための、且つ、該レーザトラッカ（１０，１１）を用いる、光点（６１，６２，６３）を形成する複数の基準目印（５２，５２ａ）が所定の空間関係で設けられている測定補助対象物（５０）の空間的な姿勢を決定するための方法であって、
前記レーザトラッカ（１０，１１）は、
・垂直軸（４１）を規定する台座（４０）と、
・前記垂直軸（４１）を中心として前記台座（４０）に対して相対的にモータ駆動式に旋回可能である支持部（３０）と、
・傾斜軸を中心として前記支持部（３０）に対して相対的にモータ駆動式に回動可能であり、且つ、前記光点（６１，６２，６３）の画像（６０）を検出する画像検出ユニットを有している旋回ユニット（１５，２０）と、
・レーザビーム（１７，２１）を放出するビーム源と、
・前記レーザビーム（１７，２１）を用いて、前記測定補助対象物（５０）までの距離を測定する距離測定ユニットと、
・前記台座（４０）に対して相対的な前記レーザビーム（１７，２１）の放出方向を決定する角度測定機能と、を備えており、
前記方法において、
・前記測定補助対象物（５０）の方向における画像（６０）を、該測定補助対象物（５０）の少なくとも一つの位置及び／又は配向に依存してそれぞれ検出可能な光点（６１，６２，６３）と共に検出し、
・前記測定補助対象物（５０）の前記空間的な姿勢を、前記画像（６０）内で検出された前記光点（６１，６２，６３）に関する前記画像（６０）内の画像位置（７１，７２）から、画像評価を用いて導出する、測定補助対象物（５０）の空間的な姿勢を決定するための方法において、
・前記画像評価のための、前記画像（６０）内の個々の光点（６１，６２，６３）の外観に関する局所的な考慮判定基準が規定されているか、又は、前記画像評価のための、前記画像（６０）内の複数の光点（６１，６２，６３）間の位置関係に関する大域的な考慮判定基準が規定されており、
・前記画像（６０）内で検出された前記光点（６１，６２，６３）のうちの少なくとも一つの光点について、前記局所的な考慮判定基準又は前記大域的な考慮判定基準が満たされているか否かを検査し、
・前記考慮判定基準が満たされていない場合には、前記画像（６０）内で検出された前記光点（６１，６２，６３）のうちの前記少なくとも一つの光点を、前記空間的な姿勢の導出に関して低く重み付けし、特に除外することを特徴とする、測定補助対象物（５０）の空間的な姿勢を決定するための方法。
【請求項２】
前記局所的な考慮判定基準は、前記画像（６０）内の前記光点（６１，６２，６３）のうちの少なくとも一つの光点の見え方に関する画像属性、特に画像基準としての目標形状及び／又は空間的な目標面積及び／又は目標明度分布（６５）及び／又は目標総輝度及び／又は目標コントラストを規定する、請求項１に記載の方法。
【請求項３】
前記大域的な考慮判定基準は、前記画像内で検出された複数の光点（６１，６２，６３）に関する前記画像（６０）内の前記画像位置（７１）の相対的及び空間的な目標位置を規定し、特に前記測定補助対象物（５０）のその都度の姿勢を考慮して規定する、請求項１又は２に記載の方法。
【請求項４】
前記局所的な考慮判定基準又は前記大域的な考慮判定基準を、検出された前記画像（６０）から、特に前記画像（６０）内の前記光点（６１，６２，６３）の各グラフィック像から、とりわけ、前記光点（６１，６２，６３）の各グラフィック像の比較から導出する、請求項１乃至３のいずれか一項に記載の方法。
【請求項５】
前記光点（６１，６２，６３）を有している少なくとも一つの別の画像（６０）を時間的にずらして検出し、特に複数の画像を連続的に検出し、複数の画像（６０）において検出された少なくとも一つの光点（６１，６２，６３）に関する前記局所的な考慮判定基準又は前記大域的な考慮判定基準が満たされているか否かの検査を、前記複数の画像の比較によって行い、特に、前記複数の画像（６０）における個々の光点（６１，６２，６３）の外観の比較によって行うか、又は、前記複数の画像における個々の光点（６１，６２，６３）に関する各画像位置（７１，７２）の比較によって行う、請求項１乃至４のいずれか一項に記載の方法。
【請求項６】
・前記局所的な考慮判定基準が満たされているか否かの前記検査のために、前記画像（６０）内で検出された前記光点（６１，６２，６３）のうちの少なくとも一つの光点に関するグラフィック情報を導出し、特に、前記画像（６０）内の前記光点（６１，６２，６３）に関して検出された実際形状及び／又は空間的な実際面積及び／又は実際明度分布（６５，６５ａ）及び／又は実際輝度及び／又は実際コントラストを導出するか、若しくは、
・前記大域的な考慮判定基準が満たされているか否かの前記検査のために、前記画像（６０）内で検出された、該画像（６０）内の前記光点（６１，６２，６３）のうちの少なくとも一つの光点に関する、画像処理を用いて決定された画像位置（７１，７２）を使用し、特に、前記画像位置（７１，７２）を、明度分布（６５，６５ａ）に基づいた前記画像（６０）内の焦点計算によって決定する、請求項１乃至５のいずれか一項に記載の方法。
【請求項７】
前記局所的な考慮判定基準又は前記大域的な考慮判定基準が満たされているか否かの前記検査において、前記測定補助対象物（５０）及び／又は測定空間の立体的な構造を考慮し、特に前記測定補助対象物（５０）の位置を考慮し、とりわけ視界障害物（５３，５５）の位置及び寸法を考慮する、請求項１乃至６のいずれか一項に記載の方法。
【請求項８】
前記局所的な考慮判定基準又は前記大域的な考慮判定基準が満たされているか否かの前記検査によって、前記画像（６０）内で検出された前記光点（６１，６２，６３）のうちの少なくとも一つの光点が少なくとも部分的に覆い隠されているかを求め、該光点（６１，６２，６３）が少なくとも部分的に覆い隠されている場合には、該光点（６１，６２，６３）を、前記空間的な姿勢の導出に関して低く重み付けする、請求項１乃至７のいずれか一項に記載の方法。
【請求項９】
前記局所的な考慮判定基準又は前記大域的な考慮判定基準が満たされているか否かの前記検査のために、考慮判定基準と画像情報の一致度を表す比較品質値を、該考慮判定基準と該画像情報との比較によって求め、該比較品質値に関して信頼区間を規定し、
前記画像情報を、少なくとも第１の光点（６１，６２，６３）に関して、検出された前記画像から導出し、
特に、検出された前記光点（６１，６２，６３）のうちの少なくとも一つの光点に関する前記局所的な考慮判定基準又は前記大域的な考慮判定基準が満たされているか否かの前記検査において求められた最新の比較品質値が前記信頼区間内にある場合には、前記空間的な姿勢の導出に関して前記光点（６１，６２，６３）を考慮し、求められた前記品質比較値が前記信頼区間外にある場合には、前記空間的な姿勢の導出に関して前記光点（６１，６２，６３）を低く重み付けする、請求項１乃至８のいずれか一項に記載の方法。
【請求項１０】
前記画像内で検出された各光点（６１，６２，６３）に関する前記局所的な考慮判定基準又は前記大域的な考慮判定基準が満たされているか否かの前記検査において、個々の残差を求め、各残差が調整可能な期待範囲内にあるか否かを検査し、一つ又は複数の残差が前記期待範囲外にある場合には、対応する一つ又は複数の光点（６１，６２，６３）を、前記比較品質値を求める際に低く重み付けし、特に前記空間的な姿勢の導出に関して除外する、請求項９に記載の方法。
【請求項１１】
光点（６１，６２，６３）を形成する複数の基準目印（５２，５２ａ）が所定の空間関係で設けられている測定補助対象物（５０）の位置及び／又は配向を決定するための、特に前記測定補助対象物（５０）を継続的に追跡するためのレーザトラッカ（１０，１１）であって、
前記レーザトラッカ（１０，１１）は、
・垂直軸（４１）を規定する台座（４０）と、
・前記垂直軸（４１）を中心として前記台座（４０）に対して相対的にモータ駆動式に旋回可能である支持部（３０）と、
・傾斜軸を中心として前記支持部（３０）に対して相対的にモータ駆動式に回動可能であり、且つ、前記光点（６１，６２，６３）の画像（６０）を検出する画像検出ユニットを有している旋回ユニット（１５，２０）と、
・レーザビーム（１７，２１）を放出するビーム源と、
・前記レーザビーム（１７，２１）を用いて、前記測定補助対象物（５０）までの距離を測定する距離測定ユニットと、
・前記台座（４０）に対して相対的な前記レーザビーム（１７，２１）の放出方向を決定する角度測定機能と、
・前記測定補助対象物（５０）の空間的な姿勢を決定する機能を備えている制御及び処理ユニットと、を備えており、
前記空間的な姿勢を決定する機能の実行時に、前記測定補助対象物（５０）の前記空間的な姿勢が、前記画像（６０）内で検出された光点（６１，６２，６３）に関する前記画像（６０）内の画像位置（７１，７２）から、画像評価を用いて導出され、
前記制御及び処理ユニットによる制御下で、前記画像（６０）が、前記測定補助対象物（５０）の方向において、前記測定補助対象物（５０）の少なくとも一つの位置及び／又は配向に依存してそれぞれ検出可能な光点（６１，６２，６３）と共に検出される、レーザトラッカ（１０，１１）において、
・前記画像評価のための、前記画像（６０）内の個々の光点（６１，６２，６３）の外観に関する局所的な考慮判定基準が規定されているか、又は、前記画像評価のための、前記画像（６０）内の複数の光点（６１，６２，６３）間の位置関係に関する大域的な考慮判定基準が規定されており、
・前記制御及び処理ユニットは検査機能を有しており、該検査機能の実行時に、前記画像（６０）内で検出された前記光点（６１，６２，６３）のうちの少なくとも一つの光点について、前記局所的な考慮判定基準又は前記大域的な考慮判定基準が満たされているか否かが検査され、
・前記考慮判定基準が満たされていない場合には、前記機能の実行時に、前記画像（６０）内で検出された前記光点（６１，６２，６３）のうちの前記少なくとも一つの光点が、前記空間的な姿勢の導出に関して低く重み付けされ、特に除外されることを特徴とする、レーザトラッカ（１０，１１）。
【請求項１２】
前記制御及び処理ユニットは、請求項１乃至１０のいずれか一項に記載の方法を実施するように構成されている、請求項１１に記載のレーザトラッカ（１０，１１）。
【請求項１３】
前記測定補助対象物（５０）は、前記基準目印（５２，５２ａ）のうちの一つに対して所定の空間関係で位置決めされている付加的な補助マーキング（５６，５８）が配置されているように構成されており、
前記検査機能の実行時に、検出された前記画像（６０）内の前記補助マーキング（５６，５８）の像が、前記局所的な考慮判定基準又は前記大域的な考慮判定基準が満たされているか否かに関して検査され、
特に、前記補助マーキング（５６，５８）は発光ダイオードとして構成されている、請求項１１又は１２に記載のレーザトラッカ（１０，１１）。
【請求項１４】
前記測定補助対象物（５０）の前記基準目印（５２，５２ａ）は、前記光点（６１，６２，６３）を形成する自己発光手段として、特に発光ダイオードとして構成されている、請求項１１乃至１３のいずれか一項に記載のレーザトラッカ（１０，１１）。
【請求項１５】
特に請求項１１乃至１４のいずれか一項に記載のレーザトラッカ（１０，１１）の制御及び処理ユニットにおいてコンピュータプログラム製品が実行される場合に、請求項１乃至１０のいずれか一項に記載の方法の、
・前記測定補助対象物（５０）の前記空間的な姿勢の決定、及び、
・前記考慮判定基準が満たされているか否かの検査、
を実行し、前記測定補助対象物（５０）の方向における画像検出を制御する、機械読み出し可能な担体に記憶されているコンピュータプログラム製品。
【発明の詳細な説明】
【技術分野】
【０００１】
本発明は、請求項１の上位概念に記載されている、レーザトラッカのための、且つ、レーザトラッカを用いる、対象物の姿勢を決定するための方法、請求項１１に記載されている、相応の機能を備えているレーザトラッカ、並びに、請求項１５に記載されている、コンピュータプログラム製品に関する。
【背景技術】
【０００２】
ターゲット点の継続的な追跡及びそのターゲット点の座標位置を決定するために構成されている種々の測定装置を、特に工業用の測定との関連において、一般的にレーザトラッカという概念の下に一括りにすることができる。このレーザトラッカにおいては、測定装置の光学的な測定ビーム、特にレーザビームを用いて照準が合わせられる再帰反射性のユニット（例えば立方体プリズム）によってターゲット点を表すことができる。レーザビームは平行に再び測定装置に向かって反射され、反射されたビームは装置の検出ユニットによって検出される。その際に、レーザビームの放出方向又は受信方向が、例えば、システムの偏向ミラー又は照準合わせユニットに対応付けられている角度測定用センサによって求められる。更にはレーザビームの検出と共に、測定装置からターゲット点までの距離が、例えば伝播時間測定又は位相差測定によって、若しくは、フィゾーの原理を用いて求められる。
【０００３】
また現在のトラッカシステムにおいては、受信したレーザビームの、いわゆるサーボ制御点からのずれが求められており、これは益々標準的に行われるようになっている。そのようなずれを測定できることによって、レトロリフレクタの中心と、そのレトロリフレクタにおけるレーザビームの入射点との位置の差を決定することができ、またその差に応じて、センサにおけるずれが低減されるように、特にずれが「ゼロ」となるように、従ってビームがレトロリフレクタの中心に向かって配向されるようにレーザビームの配向を修正又は更新することができる。レーザビームの配向を更新することによって、ターゲット点を継続的に追跡（トラッキング）することができ、またトラッカシステムに相対的なターゲット点の距離及び位置を継続的に検出することができる。更新は、レーザビームを偏向させるために設けられている、モータ駆動式に移動可能な偏向ミラーの配向を変化させることによって、及び／又は、レーザビームを誘導するレーザ光学系を有している照準合わせユニットを旋回させることによって実現することができる。
【０００４】
上述のようなターゲットの追跡に先立って、レーザビームをリフレクタにロックオンすることが必要になる。このためにレーザトラッカには、光位置センサを備えており、且つ比較的大きい視野を有している検出ユニットを付加的に配置することができる。更に、冒頭で述べたような測定装置には、ターゲット若しくはリフレクタを、特に距離測定手段の波長とは異なる所定の波長で照明する、付加的な照明手段が組み込まれている。この関係において、例えば外部光の影響を低減するか、又は完全に阻止するために、光位置センサをその所定の波長付近の範囲に対してのみ感度を有するように構成することができる。照明手段を用いることによってターゲットを照明することができ、またカメラを用いることによって、リフレクタが照明されているターゲットの画像を検出することができる。特定の反射（特定の波長の反射）をセンサに結像させることによって、画像内の反射位置を分解によって求め、それと共に、カメラの検出方向に相対的な角度と、ターゲット若しくはリフレクタの方向と、を決定することができる。その種のターゲットサーチユニットを備えているレーザトラッカの一つの実施の形態は例えばWO 2010/148525 A1から公知である。そのようにして導出された方向情報に依存して、レーザビームと、そのレーザビームを用いてロックオンされるべきリフレクタとの間の距離が短くなるように、測定レーザビームの配向を変更することができる。
【０００５】
距離を測定するために、従来技術によるレーザトラッカは、例えば干渉計として構成することができる、少なくとも一つの距離測定器を有している。その種の距離測定器は相対的な距離変化しか測定できないので、今日のレーザトラッカには干渉計の他にいわゆる絶対距離計も組み込まれている。例えば、距離を求めるために、その種の複数の測定手段を組み合わせることは、Leica Geosystems AGの製品AT901から既知である。更に、距離を求めるための干渉計及び絶対距離計をＨｅＮｅレーザと組み合わせることは、例えばWO 2007/079600 A1から公知である。
【０００６】
従来技術によるレーザトラッカには更に、二次元の感光アレイ、例えばＣＣＤカメラ又はＣＩＤカメラを備えているか、又はＣＭＯＳアレイを基礎とするカメラを備えている光学的な画像検出ユニットを設けることができるか、若しくは、ピクセルアレイセンサ及び画像処理ユニットを設けることができる。その場合、レーザトラッカ及びカメラの位置が相互に相対的に変化することがないように、それらを上下に重ねて取り付けることができる。カメラは例えばレーザトラッカと共に、その実質的に垂直方向の軸を中心として回動可能であるが、しかしながら、レーザトラッカに依存せずに上下方向に旋回可能であり、従って特にレーザビームの光学系からは分離されて配置されている。更には、例えば各用途に応じて、カメラを一つの軸についてのみ旋回可能であるように構成することもできる。択一的な実施の形態においては、カメラをレーザ光学系と統合された構造様式で、共通の一つのケーシング内に組み込むことができる。
【０００７】
相互の相対的な配置が既知である複数のマーキングを備えている、いわゆる測定補助器具乃至測定補助対象物の画像を画像検出ユニット及び画像処理ユニットを用いて検出及び評価することによって、空間内での測定補助器具の姿勢並びに測定補助器具に配置されている対象物（例えばプローブ）の姿勢を推定することができる。更には、求められたターゲット点の空間的な位置と共に、レーザトラッカに対して絶対的及び／又は相対的である、空間内の対象物の位置及び姿勢を正確に決定することができる（６ＤｏＦ検出：６自由度の検出）。
【０００８】
その種の測定補助器具は、接触点を用いてターゲット対象物の一点に位置決めされる、いわゆる接触式ツールによって実現することができる。接触式ツールは複数のマーキング、例えば発光ダイオード（ＬＥＤ）と、一つのリフレクタと、を有している。リフレクタは接触式ツール上のターゲット点を表し、またレーザトラッカのレーザビームを用いることによって、そのターゲット点に照準を合わせることができる。その際、接触式ツールの接触点に対するマーキング及びリフレクタの相対的な位置は正確に既知である。測定補助対象物は当業者には公知のように、非接触式の表面測定用の、例えば距離測定のために実施されている手持式のスキャナであっても良い。その場合、スキャナに配置されているリフレクタ及び発光ダイオードに対して相対的な、距離測定に使用されるスキャナ測定ビームの方向及び位置は正確に既知である。その種のスキャナは例えばEP 0 553 266に記載されている。
【０００９】
レーザトラッカを用いた測定補助対象物の空間的な姿勢を高い信頼性で決定するために（６ＤｏＦ測定）、発光ダイオードが検出されており且つ良好に（つまり完全に）結像されている画像、また有利には対象物における発光ダイオードの既知の配置構成が使用される。画像評価を用いることによって、その画像評価から空間内の測定補助対象物の姿勢を導出することができる。
【００１０】
その種の６ＤｏＦ測定では、カメラの内部的な配向の既知の幾何学及び知識を用いて、空間的なリセクションが計算され、そこから測定補助対象物の姿勢が決定される。しかしながら、幾つかのＬＥＤがカメラに対して少なくとも部分的に可視でない場合には、空間的なリセクションの結果が不正確になる（つまり、測定におけるランダムな不確かさが増加する）。
【００１１】
複数あるＬＥＤのうちの一つ又は複数が部分的に覆い隠されている場合には特に好ましくない事態が発生し、検出された画像内の計算された画像座標の精度は、各ＬＥＤの光点に関してシステマチックに低下する。その結果、個々の画像座標の精度の低下と共に、リセクションの結果、従って測定補助対象物の空間的な姿勢の決定の質もシステマチックに低下する。
【発明の概要】
【発明が解決しようとする課題】
【００１２】
従って本発明の課題は、上述の測定誤差を低減又は回避するための改良された方法及び改良された装置を提供することである。
【００１３】
本発明の特別な課題は、画像内で検出された対象物に関する光点を評価することによって、その対象物の姿勢をより高い信頼性で決定し、特に、光点が少なくとも部分的に覆い隠されている場合に生じる測定誤差を低減又は回避する、改良されたレーザトラッカを提供することである。
【課題を解決するための手段】
【００１４】
これらの課題は、独立請求の特徴部分に記載されている構成を実現することによって解決される。本発明を代替的なやり方又は有利なやり方で更に発展させる種々の特徴的構成は従属請求項に記載されている。
【００１５】
本発明は、レーザトラッカのための、且つ、レーザトラッカを用いる、光点を形成する複数の基準目印が所定の空間関係で設けられている測定補助対象物の空間的な姿勢を決定するための方法に関する。レーザトラッカは、垂直軸を規定する台座と、垂直軸を中心として台座に対して相対的にモータ駆動式に旋回可能である支持部と、傾斜軸を中心として支持部に対して相対的にモータ駆動式に回動可能であり、且つ、光点の画像を検出する画像検出ユニットを備えている旋回ユニットと、レーザビームを放出するビーム源と、を有している。更に、レーザビームを用いて、測定補助対象物までの距離を測定する距離測定ユニットと、台座に対して相対的なレーザビームの放出方向を決定する角度測定機能と、が設けられている。
【００１６】
本発明による方法の枠内では、測定補助対象物の方向における画像が、測定補助対象物の少なくとも一つの位置及び／又は配向に依存してそれぞれ検出可能な光点と共に検出され、測定補助対象物の空間的な姿勢が、画像内で検出された光点に関する画像内の画像位置から画像評価を用いて導出される。
【００１７】
本発明によれば、画像評価のための、画像内の個々の光点の外観に関する局所的な考慮判定基準が規定されているか、又は、画像評価のための、画像内の複数の光点間の位置関係に関する大域的な考慮判定基準が規定されている。更に、画像内で検出された複数の光点のうちの少なくとも一つの光点について局所的な考慮判定基準又は大域的な考慮判定基準が満たされているかが（特に、検出された画像から得られる、検出された複数の光点のうちの少なくとも一つの光点に関する画像情報が局所的な考慮判定基準又は大域的な考慮判定基準と比較されることによって）検査される。（局所的又は大域的な）考慮判定基準が満たされていない場合、画像内で検出された複数の光点のうちの、その少なくとも一つの光点は空間的な姿勢の導出に関して低く重み付けされ、特に考慮されない。
【００１８】
つまり、一つ又は複数の光点に関して画像内に存在する特性は、一つ又は複数の光点に関する目標特性と一致しているか否かが検査され、その検査に基づき、姿勢を決定するためにその光点は考慮されるか、又は低く重み付けされるか、特に考慮されないかが決定される。
【００１９】
基準目印を特に、所定の波長領域の光を放出する、とりわけ赤外線光を放出する発光ダイオード（ＬＥＤ）として構成することができる。
【００２０】
本発明による方法の一つの特定の実施の形態によれば、局所的な考慮判定基準は、画像内の複数の光点のうちの少なくとも一つの光点の見え方に関する少なくとも一つの画像属性を規定し、特に画像基準としての目標コントラスト及び／又は目標形状及び／又は空間的な目標面積及び／又は目標明度分布及び／又は目標総輝度を規定する。
【００２１】
この関係において、本発明による一つの典型的な実施の形態によれば、局所的な考慮判定基準が満たされているかの検査が、画像内の（個々の）ＬＥＤ像（基準目印の像）の個別の考察に基づき実施される。このために、測定補助対象物における複数のＬＥＤの相対的及び空間的な配置構成についての知識は必要ない。
【００２２】
部分的に遮蔽されているＬＥＤを識別するために、基準又は規準（＝考慮判定基準）に対する像の偏差が使用される。基準又は規準として、設けられている基準目印に関する、光学計算から得られた理想的な像又は経験値を使用することができる。
【００２３】
この実施の形態による方法は、画像内の結像されたＬＥＤの総数には依存せず、従って個々のＬＥＤに対して適用することができる。更に、カメラの姿勢に関する知識は必要とされない。
【００２４】
特に、この関係において、測定補助対象物（例えば測定プローブ）とカメラとの間で生じうる距離に関して、またカメラに相対的な測定補助対象物の考えられる姿勢に関して、理想的な像を格納することができ、それらの像は特に、実際の観察から求められた「経験値」を表すことができる。
【００２５】
特に、画像内のＬＥＤの像は、画像属性によって特徴付けられており、例えばピクセル数、最大明度（最も明るいピクセル）、総輝度（全てのグレー値の和）、形状及び／又は輪郭（例えばＬＥＤのアクティブな面の形状又は、受動的なターゲットマークの輪郭及び光学的計算を基礎とする）、像内の明度分布（モノクロ又はスペクトル）及び／又はシャープネスによって特徴付けられている。それらの属性のうちの一つ又は複数の属性が基準値又は規準値から偏差している場合、その偏差を識別することができ、またその偏差は各ＬＥＤが部分的に覆い隠されていることに関する指標であると考えられる。
【００２６】
特に、画像内のＬＥＤの光点についての明度分布の評価に関して、ＬＥＤのその像に関する画像座標を繰り返し計算することができ、その際に、個々のパラメータが変更され、それによって生じる画像座標のグループにおける偏差が、期待される明度分布からの偏差に関する判定基準として使用される。
【００２７】
これに関して変更可能なパラメータとして、例えば明度値（閾値）、ダークフレーム減算（オフセット）、焦点の算出方法（例えば、バイナリ、線形又は平方の焦点）、照明時間、及び／又は、相互に分けられている個々のピクセルカラーに応じた焦点の計算が挙げられる。
【００２８】
本発明によれば、大域的な考慮判定基準又は局所的な考慮判定基準の定義又は規定に関して、この考慮判定基準を（レーザトラッカのデータファイル内に設けられる代わりに、又は、レーザトラッカのデータファイル内に設けられることに加えて）、特に検出された画像から導出することができ、特に画像内の光点の各グラフィック像から、とりわけ光点の各グラフィック像の比較から導出することができる。
【００２９】
この関係において、基準目印が画像検出時に部分的に覆い隠された状態で存在していたかを検査するための、本発明による一つの別の実施の形態は、画像内で検出された全ての基準目印（＝画像内の光点）の像の比較に関する。この別の実施の形態では、検出された画像内の個々の基準目印の像が、その像を記録した際に同様に生じた、画像内の検出された基準目印の像と比較される。このことは特に、基準目印に関する基準値を考慮することができない場合（例えば、製造公差、移動の不正確性、周囲雰囲気による障害等に起因する変動幅に起因する）、又は、基準目印に関する基準値が格納されていない場合に行われる。その際に、結像された基準目印の数が多くなり、且つ、それらの結像された基準目印のうち、部分的に覆い隠されている基準目印の数が少なくなるほど、この方式を使用する際の信頼性は一層高くなる。また、これに関する前提条件は、検出される基準目印が実質的に同種に構成されていること、又は（再帰反射性のシートのような受動的な基準目印に対して）同種の反射特性を有していること、若しくは、（発光ダイオードのような能動的な基準目印に関して）同種の光エミッションを有していることである。
【００３０】
特に、この方法は、前述の方法と同一の原理を基礎としている。同一の画像属性及び計算方法を使用することができる。主な相異点は、画像内のＬＥＤの像に関して絶対的な基準値又は規準値は存在しておらず、その代わりに、同一の記録時に生じたＬＥＤの全ての像が相互に比較されることである。
【００３１】
計算コストを低減するために、画像内のＬＥＤの複数の光点を先ず、選択された一つ又は複数の画像属性に従い、例えば、ピクセル数に応じて分類し、例えばそれにより作成されたリストにおける第１の光点及び／又は第２の光点のみを、考えられる部分的な遮蔽について検査することができる。
【００３２】
更に、本発明の別の実施の形態によれば、大域的な考慮判定基準が、画像内で検出された複数の光点に関する、画像内の画像位置の相対的及び空間的な目標位置を規定することができ、特に、測定補助対象物のその都度の姿勢を考慮して規定することができる。
【００３３】
大域的な考慮判定基準又は局所的な考慮判定基準が満たされているかの検査に関する本発明の別の態様は、複数の光点を有している少なくとも一つの別の画像を時間的にずらして検出すること、特に（複数の）別の画像を連続的に検出することに関する。その場合、画像内で検出された少なくとも一つの光点に関する局所的な考慮判定基準又は大域的な考慮判定基準が満たされているかの検査は、複数の画像を比較することによって、特に、複数の画像における個々の光点の外観を比較することによって、又は、複数の画像における個々の光点に関する各画像位置を比較することによって行われる。従ってそれによって、光点の状態を監視又は追跡することができ、そこから、例えば光点が覆い隠されていることを識別することができる。
【００３４】
換言すれば、このことは、時間的に連続する一連の画像（つまりシーン）が検出され（その際、複数の画像が実質的に、画像内で結像された同じ基準目印を光点として有している）、例えば、検出された画像内の共通の光点が比較され、その時間的な展開が検出されることを意味している。この考察から、画像における光点の変化を推定することができ、それに基づいて、例えば、光点が（部分的に）覆い隠されていることを識別することができる。これは、相応の光点の外観（例えば形状又は明度）の変化によって識別することができるか、又は、光点に関する画像位置の変化によって識別することができる。
【００３５】
従ってこの関係においては、個々の画像又は画像シーケンス（この画像シーケンスの枠内では例えば関連する光点が変化せずに検出されている）を、考慮判定基準を定義するために使用することができ、また後続の画像（又は画像の光点）を、その定義された考慮判定基準に基づき評価することができる。
【００３６】
更に、局所的な考慮判定基準が満たされているかを検査するための、本発明の一つの別の特別な実施の形態によれば、画像内で検出された複数の光点のうちの少なくとも一つの光点に関するグラフィック情報を画像から導出することができ、特に、画像内の光点に関して検出された実際形状及び／又は空間的な実際面積及び／又は実際明度分布及び／又は実際輝度及び／又は実際コントラストを導出することができる。択一的又は付加的に、やはり本発明によれば、大域的な考慮判定基準が満たされているかを検査するために、画像内で検出された、その画像内の複数の光点のうちの少なくとも一つの光点に関する、画像処理を用いて決定された画像位置を使用することができ、特に、画像位置は明度分布に基づき画像内の焦点を計算することによって決定される。
【００３７】
特に、本発明による方法の枠内では、局所的な考慮判定基準又は大域的な考慮判定基準が満たされているかを検査する際に、測定補助対象物及び／又は測定空間の立体的な構造が考慮され、また特に、測定補助対象物の位置が考慮され、特に、視界障害物の位置及び寸法が考慮される。
【００３８】
従って一つの特別な実施の形態によれば、画像内の結像された複数のＬＥＤの本発明による検査、即ち、それらのＬＥＤによって形成された、画像内の光点の検査において、部分的に遮蔽されたＬＥＤを識別する際に、例えば測定補助対象物又は測定空間の既知の立体的な構造を考慮することができる。
【００３９】
これに関して、ＬＥＤの相対的及び空間的な配置構成の他に、少なくとも一つのＬＥＤの部分的な遮蔽を生じさせる可能性がある測定体積内の構造体の形状及び空間的な位置も既知であるので、それによって、ＬＥＤが場合によってはもはや完全に画像センサに結像されなくなるのは何時かを計算することができ、またそのようなＬＥＤはリセクションの計算から予防的に除外される。
【００４０】
頻繁に部分的な遮蔽を生じさせるその種の構造体として、例えば、測定補助対象物自体のケーシング、並びに、装置、ツール、建造物及び／又は安全装置（及び／又は人間）の一部が挙げられる。また６ＤｏＦ測定（測定補助対象物の位置及び姿勢）は、カメラまでの構造体の最新の相対的及び空間的な位置を常に提供する。
【００４１】
既知の構造体の近傍に、即ち、予め規定されている距離内にＬＥＤがある場合、そのＬＥＤがまだ遮蔽されていない場合であっても、そのＬＥＤの像を予防的に、リセクションの計算から除外することができる。更には、例えばオートメーションにおいて測定シーケンスが何度も繰り返される場合には、ＬＥＤが部分的に遮蔽される可能性がある空間領域をテストランにおいて求め、相応の測定に際し考慮することができる。
【００４２】
本発明によれば、特に、局所的な考慮判定基準又は大域的な考慮判定基準が満たされているかの検査の結果から、又はその検査によって、画像内で検出された複数の光点のうちの少なくとも一つの光点が少なくとも部分的に覆い隠されているかが求められ、光点が少なくとも部分的に覆い隠されている場合、その光点は空間的な姿勢の導出に関して低く重み付けされる。
【００４３】
更に、局所的な考慮判定基準又は大域的な考慮判定基準が満たされているかの検査に関する一つの別の特別な実施の形態によれば、考慮判定基準と画像情報の一致度を表す比較品質値を、考慮判定基準と画像情報との比較によって求め、その比較品質値に関して信頼区間を規定することができる。画像情報は、少なくとも第１の光点に関して、検出された画像から導出される。
【００４４】
検出された複数の光点のうちの少なくとも一つの光点に関する局所的な考慮判定基準又は大域的な考慮判定基準が満たされているかの検査の枠内で求められた最新の比較品質値が信頼区間内にある場合には、特に、空間的な姿勢を導出するためにその光点が考慮され、また、求められた品質比較値が信頼区間外にある場合には、空間的な姿勢を導出する際にその光点は低く重み付けされる。
【００４５】
更に本発明によれば、特に、画像内で検出された各光点について、局所的な考慮判定基準又は大域的な考慮判定基準が満たされているかを検査する際に、又はその検査の枠内で、個々の残差が求められ（即ち、各残差は特に局所的な考慮判定基準又は大域的な考慮判定基準が満たされているかの検査によって求められる）、また、各残差が調整可能な期待範囲内にあるか否かが検査され、一つ又は複数の残差が期待範囲外にある場合には、対応する一つ又は複数の光点が比較品質値を求める際に低く重み付けされ、特に、空間的な姿勢を導出する際に除外される。
【００４６】
本方法を実施するための、この方法の一つの特別な本発明による実施の形態によれば、付加的な補助マーキングを測定補助対象物における測定基準目印に対して相対的に配置することができる。本来の測定にとって必ずしも必要なものではないこの付加的な補助マーキング（測定基準目印と同様に、ＬＥＤとして構成することができるか、又は再帰反射性に構成することができる）を、本来の測定目印の周囲に適切に配置することによって、例えば測定ＬＥＤを場合によってはもはや完全に画像内に結像することができないか否かを検出することができる。
【００４７】
測定基準目印は、補助マーキングと共に、一つの複合体又はグループ（クラスタ）を形成する。そのグループがもはや完全に画像センサに結像されない場合、即ち、複数の付加的な補助マーキングのうちの一つ又は複数が欠ける場合、中央の測定基準目印がもはや完全に結像されていない虞がある。この場合、そのような測定基準目印をその都度予防的に、リセクションの更なる計算から除外することができる。
【００４８】
付加的な補助マーキングは実質的に、場合によっては起こり得る、中央の測定基準目印の部分的な遮蔽を検出するためにしか使用されず、他の計算には考慮されないので、それらの付加的な補助マーキングは測定結果の品質に何の影響も及ぼさない。従ってこの付加的なマーキングに課される要求は（明度、大きさ、照明の均一性等に関して）測定基準目印に比べて相応に低くなっており、それによって、本方法をＬＥＤベースの測定システムにも適用することができる。
【００４９】
付加的な補助マーキングに関する適切な形状は、本来の測定基準目印を包囲するようなリング形状であり、これは例えば再帰反射性のシート又は相互に並んで設けられている複数のＬＥＤから構成される。別の代替的な適切な実施の形態では、複数の別個のマーキングが配置され、それらのマーキングがやはり別個に画像センサに結像される。その場合、検出に関しては、例えば全ての付加的な補助マーキングは測定基準目印の周囲の所定の範囲内で画像センサに現れるか否かだけが考慮されればよい。
【００５０】
択一的又は付加的な本発明の実施の形態として、画像内でその都度検出されたＬＥＤ又は光点を考慮せずに、関連する品質特性数（例えば、画像座標に関する標準偏差）が顕著に改善され、またそれによって、例えば予め規定された期待範囲内にあるか否かが識別されることによって、リセクションの更なる計算（測定補助対象物の姿勢の決定）が実施される。この品質特性数を用いることによって、あるＬＥＤに関する光点が測定結果に重大な影響（エラーを惹起する影響）を及ぼすか否かを識別することができる。その種の実施の形態は、特に、大域的な考慮判定基準の検査に対応付けることができ、その場合には、判定基準として例えば相対的な標準偏差、又は品質特性数の相対的な差、又は個々の（又は複数の）標準偏差の相対的な差が規定されている。
【００５１】
その際に、例えば、検出された複数の光点を一つずつ順次計算から除外することができ、また計算を行う度に品質特性数を求めることができる。この品質特性数は、計算が行われる度に、測定補助対象物における光点の既知の分布との「最適適合（Best-Fit）」が行われ、標準偏差がその都度決定されることによって求められるか、又は測定補助対象物の姿勢が姿勢角度を用いて決定され、例えば角度が計算される度に標準偏差がその都度決定されることによって求められる。その結果、標準偏差を比較することによって、画像内で正確に結像されていない光点を識別することができる。特に、最も小さい全標準偏差又は最も改善されている標準偏差を用いた計算時に除外された光点を不適切なものとして識別することができる。特に、まだ適合している各点に関して（「最適適合」方式の枠内で）光点を「省く」度に標準偏差が決定される場合には、例えば、最も小さい全標準偏差又は最も改善されている標準偏差を用いた計算時に除外された光点を「不適切」な光点として識別することができる。
【００５２】
ＬＥＤの個数、利用可能な計算時間、計算能力及び／又は測定結果のリアルタイム出力に対する要求に応じて、ＬＥＤの光点を、部分的な遮蔽の確率に関して分類する又は等級別にすることができ、また例えば最小の総輝度から出発して分類する又は等級別にすることができる。
【００５３】
更に本発明は、光点を形成する複数の基準目印が所定の空間関係で設けられている測定補助対象物の位置決定及び／又は配向決定のための、特に測定補助対象物を継続的に追跡するためのレーザトラッカに関する。レーザトラッカは、垂直軸を規定する台座と、垂直軸を中心として台座に対して相対的にモータ駆動式に旋回可能である支持部と、傾斜軸を中心として支持部に対して相対的にモータ駆動式に回動可能であり、且つ、光点の画像を検出する画像検出ユニットを備えている旋回ユニットと、レーザビームを放出するためのビーム源と、を有している。更に、レーザビームを用いて、測定補助対象物までの距離を測定する距離測定ユニットと、台座に対して相対的なレーザビームの放出方向を決定する角度測定機能と、測定補助対象物の空間的な姿勢を決定するための機能を備えている制御及び処理ユニットと、が設けられている。上述の機能が実行されると、測定補助対象物の空間的な姿勢が、画像内で検出された光点に関する画像内の画像位置から、画像評価を用いて導出され、その際に、制御及び処理ユニットの制御下で、測定補助対象物の方向における画像が、測定補助対象物の少なくとも一つの位置及び／又は配向に依存してそれぞれ検出可能な光点と共に検出されている。
【００５４】
本発明によれば、画像評価のための、画像内の個々の光点の外観に関する局所的な考慮判定基準が規定されているか、又は、画像評価のための、画像内の複数の光点間の位置関係に関する大域的な考慮判定基準が規定されている。更に、制御及び処理ユニットは検査機能を有しており、この検査機能が実行されると、画像内で検出された複数の光点のうちの少なくとも一つの光点について考慮判定基準が満たされているかが検査される（特に、検出された画像から得られる、検出された複数の光点のうちの少なくとも一つに関する画像情報が考慮判定基準と比較されることによって検査される）。考慮判定基準が満たされていない場合には、機能の実行時に、画像内で検出された複数の光点のうちの少なくとも一つの光点が、空間的な姿勢の導出の際に低く重み付けされ、特に除外される。
【００５５】
本発明によれば、レーザトラッカの制御及び処理ユニットを、特に、上述の本発明による方法を実施するために構成することができる。
【００５６】
本発明によれば、測定補助対象物の構成に関して、付加的な補助マーキングを測定補助対象物に配置することができ、それらの付加的な補助マーキングは基準目印のうちの一つに対して所定の空間関係で位置決めされている。検査機能が実行されると、検出された画像内の補助マーキングの像が、局所的な考慮判定基準又は大域的な考慮判定基準が満たされているかに関して検査される。
【００５７】
測定補助対象物の基準目印は、特に、光点を形成する自己発光手段として構成されており、特に発光ダイオードとして構成されている。
【００５８】
本発明の別の態様は、本発明による方法に従い、測定補助対象物の方向における画像検出を制御し、測定補助対象物の空間的な姿勢を決定し、また考慮判定基準が満たされているかを検査するためのコンピュータプログラム製品に関し、特に、コンピュータプログラム製品が本発明によるレーザトラッカの制御及び処理ユニットにおいて実行される場合には、コンピュータプログラム製品は機械読み出し可能な担体に記憶されている。
【００５９】
以下では、添付の図面に具体的に図示した複数の実施例に基づき、本発明による方法及び本発明による装置を例示的に詳細に説明し、また本発明の更なる利点についても検討する。
【図面の簡単な説明】
【００６０】
【図１】本発明によるレーザトラッカの二つの実施の形態を示す。
【図２ａ】測定補助対象物を示す。
【図２ｂ】測定補助対象物におけるＬＥＤによって形成されている複数の光点が検出されている画像を示す。
【図３ａ】測定補助対象物を示す。
【図３ｂ】測定補助対象物におけるＬＥＤによって形成されている複数の光点が検出されている画像を示す。
【図３ｃ】光点に関する画像位置が求められている画像を示す。
【図４ａ】測定補助対象物及び視界障害物を示す。
【図４ｂ】測定補助対象物によって形成されている光点並びに視界障害物によって部分的に覆い隠されている光点が検出されている画像を示す。
【図５ａ】カメラに相対的に側方に配向されている測定補助対象物を示す。
【図５ｂ】側方に配向されている測定補助対象物に対応する、検出された画像を示す。
【図６ａ】覆い隠されていない、四角形のＬＥＤの像の明度分布に関する等高線プロットを示す。
【図６ｂ】部分的に覆い隠されている、四角形のＬＥＤの像の明度分布に関する等高線プロットを示す。
【図７】ＬＥＤの潜在的な部分的遮蔽を検出するための補助マーキングを備えている測定ターゲットマーク又は測定ＬＥＤに関する本発明による第１の実施の形態を示す。
【図８】測定ＬＥＤの潜在的な部分的遮蔽を検出するための補助マーキング又は補助ＬＥＤに関する本発明による第２の実施の形態を示す。
【発明を実施するための形態】
【００６１】
図１には、本発明によるレーザトラッカ１０，１１に関する二つの実施の形態と、その位置及び姿勢（６ＤｏＦ＝並進３自由度及び回転３自由度の６自由度）が決定されるべき測定補助対象物５０と、が示されている。測定補助対象物５０は必要に応じて各測定レーザビーム１７，２１によって追跡されるべきである。ここでは測定補助対象物５０が接触式の測定装置として構成されている。第１のレーザトラッカ１０は台座４０及び支持部３０を有しており、この支持部３０は、台座４０によって規定される旋回軸４１を中心に、その台座４０に相対的に旋回可能又は回動可能に配置されている。更に照準合わせユニット２０（旋回ユニット）が設けられており、この照準合わせユニット２０は、傾斜軸（傾き軸乃至トランシット軸）を中心に支持部３０に相対的に回動可能であるように、支持部３０に配置されている。それらの二つの軸を中心に、照準合わせユニット２０の配向を調整できることによって、この照準合わせユニット２０から放出されるレーザビーム２１の配向も正確に調整することができ、従ってターゲットに照準を合わせることができる。この配向をモータ駆動式に自動的に行うことができる。旋回軸４１及び傾斜軸は相互に実質的に直交して配置されている。つまり、正確な軸直交性からの僅かな偏差を事前に特定し、例えばその僅かな偏差によって生じる測定誤差を補正するために、偏差をシステムに格納することができる。
【００６２】
図示されている配置構成において、測定レーザビーム２１は測定補助対象物５０におけるリフレクタ５１（リトロリフレクタ）に向けられており、このリフレクタ５１において再びレーザトラッカ１０へと再帰反射される。この測定レーザビーム２１を用いて、対象物５０又はリフレクタ５１までの距離を、特に伝播時間測定、位相測定原理又はフィゾーの原理を用いて求めることができる。レーザトラッカ１０は、（干渉計及び絶対距離計を備えている）距離測定ユニットと、レーザビーム２１を所期のように配向及び案内することができる照準合わせユニット２０の姿勢、従ってレーザビーム２１の伝播方向を特定することができる角度測定器と、を有している。
【００６３】
更にレーザトラッカ１０は、特に旋回ユニット２０は、画像検出ユニットを有している。この画像検出ユニットは、センサ又は検出された画像におけるセンサ露光の位置決定のためにＣＭＯＳを有することができるか、又は、特にＣＣＤカメラ又はピクセルセンサアレイカメラとして構成されている。その種のセンサによって、捕捉された露光の検出器における位置有感式検出乃至光位置センシングが実現される。更に測定補助対象物５０は、測定すべきターゲット対象物と接触させることができる接触点５３を備えている接触式センサを有している。接触式ツール５０がターゲット対象物と接触している間に、空間内の接触点５３の位置、従ってターゲット対象物上の一つの点の座標を正確に決定することができる。この決定は、リフレクタ５１に対する接触点５３の所定の相対的な位置決め、及び、例えば発光ダイオード（ＬＥＤ）５２として構成することができる、測定補助対象物５０に配置されている基準目印５２に対する接触点５３の所定の相対的な位置決めを介して行われる。択一的に、基準目印５２が例えば所定の波長のビームで照明された際に、入射したビームを反射させ（例えば再帰反射性に構成されている目印５２）、特に所定の光特性を示すか、又は、基準目印５２が所定のパターン又は色コーディングを有するように、基準目印５２を形成することもできる。従って、画像検出ユニットのセンサを用いて検出される画像における、基準目印５２によって形成された光点の位置又は分布から、接触式ツール５０の姿勢を決定することができる。
【００６４】
つまり、姿勢を決定するための基礎として、測定補助対象物５０の検出された画像、又はその測定補助対象物５０によって形成される光点の検出された画像が使用される。既知の最適な画像縮尺が達成されるようにＬＥＤ５２の特に焦点合わせされた検出を行うために、レーザトラッカ１０はバリオズームレンズ、即ち、画像検出センサに対して相対的に、相互に独立して位置決め可能である二つのアセンブリ（例えばレンズ）を有している。
【００６５】
姿勢を決定するために、レーザトラッカ１０は、レーザトラッカ１０の制御及び処理ユニットによって実行することができる姿勢決定機能を有している。姿勢決定機能の実行の枠内で、測定補助器具５０の基準目印５２の画像が検出され、その画像内で検出された光点についての画像位置に基づき、画像処理によって、測定補助対象物５０の姿勢又は配向が導出される。その際に、レーザビーム２１を用いて照準が合わせられている測定補助対象物５０の方向において画像を検出できるようにカメラは配向されている。更に、画像検出の際には、測定補助対象物５０の配向に依存して、及び／又は、視界障害物に依存して、カメラが「とらえることができる」光点だけをその都度検出することができる。例えば、一つ又は複数の発光ダイオード５２が部分的に覆い隠される可能性があり、それに伴い、画像においては、一つ又は複数の発光ダイオード５２の、所定の規準（考慮判定基準）に従う完全な結像が行われない可能性がある。
【００６６】
どのような条件下で、結像された光点５２が姿勢の決定のために考慮されるか、若しくは考慮されないか、又は、低い重要性で考慮されるかを表している考慮判定基準が満たされているかに関して、画像内で検出された光点を本発明により検査するために、一つ又は複数の光点５２の検出によって取得される画像情報（例えば画像内の光点の明度分布又は画像内の結像された光点の、その画像内での相対的な位置）が判定基準と比較される。判定基準が満たされていない場合、その都度検査された光点又は対応する（一つ又は複数の）ＬＥＤ５２は、測定補助対象物５０の空間的な姿勢を決定するために使用されないか、又は、使用されてもその重要性は低い。
【００６７】
その種の検査によって、適切に表されていない光点５２を姿勢決定の際に確実に除外することができ、それによって、測定を実施する際に、測定補助対象物５０についてのより正確でよりロバストな６ＤｏＦ検出を行うことができる。
【００６８】
例えば、画像内の個々の光点の明度分布を、その種の点についての基準明度分布と比較し、予め規定されている度合の一致が存在する場合には、検査された光点を姿勢決定の際に除外しないようにすることができる。
【００６９】
更には、例えば、測定補助対象物５０における基準目印５２（例えばＬＥＤ又は再帰反射性のフィルム）の既知の相対的な位置を比較に使用することができる。基準目印５２のこの既知の相対的な位置に基づき、その基準目印５２によって形成されて検出された、画像内の光点の各位置を、前述の既知の位置によって規定される画像内の目標位置と比較し、それらが一致しているかを調べ、また考慮判定基準が満たされているかについて検査することができる（つまり、画像内で検出された光点の位置は、その画像において、測定補助対象物５０におけるＬＥＤの既知の配置構成によって定められている目標位置と例えば所定の許容範囲内で一致しているか、が検査される）。考慮判定基準が満たされていない場合、その考慮判定基準を満たしていないことが確認された一つ又は複数の光点は、姿勢決定の際に低い重要性で考慮されるか、又は、特にそのような一つ又は複数の光点は考慮されない。
【００７０】
考慮判定基準と画像情報の上述の比較によって、画像検出時に一つ又は複数の基準目印５２が部分的に覆い隠されていること、またそれによって惹起された、光点のエラーのある結像を推定することができる。この関係において、光点の明度分布が例えば目標明度分布と一致しない場合、これは各光点を形成するＬＥＤ５２が部分的に覆い隠されていることを直接的に示している。位置の比較に関して、特に、各点が検出時に部分的に覆い隠されており、それによって、例えばその点についての焦点の計算から、偏差した画像位置が算出される場合には、判定基準（例えば画像内の結像された光点についての目標位置）との一致は存在しない。
【００７１】
本発明による検査を、例えば画像の検出時に自動的に実施することができるか、又は必要に応じて（つまり例えば手動でのユーザ入力時に）実施することができる。更に、画像内で検出された個々の点をその画像において選択して検査することができる。
【００７２】
第２のレーザトラッカ１１は、旋回ユニット（バリオカメラ）１５とは別個の、第２のレーザビーム１７を放出するビームガイドユニット１６を有している。この第２のレーザビーム１７もやはりリフレクタ５１に向けられている。レーザビーム１７も、旋回ユニット１５も、それぞれ二つの軸を中心としてモータ駆動式に旋回可能であり、またそれによって、バリオカメラ１５を使用して、レーザビーム１７を用いて照準が合わせられている測定補助対象物５０のターゲット５１及びＬＥＤ５２を検出できるように配向させることができる。従って、この第２のレーザトラッカ１１においてもリフレクタ５１までの正確な距離及び対象物５０の姿勢を、ＬＥＤ５２の空間的な位置に基づき決定することができる。
【００７３】
レーザビーム１７，２１をそれぞれリフレクタ５１に向けるために、各レーザトラッカ１０，１１には、所定の波長のビームでもって、特に赤外線波長領域にあるビームでもってリフレクタ５１を照明するための照明手段が設けられており、また、光位置センサを備えている、付加的な少なくとも一つのターゲットサーチカメラ、いわゆるＡＴＲ（automatic target recognition）カメラも各レーザトラッカ１０，１１に配置されている。リフレクタ５１において反射され、レーザトラッカ１０，１１へと戻った各照明ビームをカメラによって検出し、光位置センサを用いてリフレクタ５１の位置を各検出器において結像することができる。従って、第１のレーザトラッカ１０及び第２のレーザトラッカ１１のいずれによっても、リフレクタの結像された位置を特定することができ、またそれらの検出されたサーチ画像位置に依存して、ターゲット（リフレクタ）５１を画像内で発見することができる。更には、測定ビーム１７，２１を用いてターゲットに照準が自動的に合わせられるように、又はレーザビーム１７，２１がターゲット５１に自動的に（反復的に）接近するように、照準合わせユニット２０（旋回ユニット）又はビームガイドユニット１６を配向させることができる。択一的に、各レーザトラッカ１０，１１に、それぞれが一つの光位置センサを備えているカメラを少なくとも二つずつ設けることもでき、この場合、各レーザトラッカ１０，１１について、リフレクタ５１に関して検出されたそれぞれ二つのサーチ画像位置から、例えばリフレクタ５１の大凡の位置をそれぞれ決定することができる。
【００７４】
各レーザトラッカ１０，１１の距離測定ユニットは、各レーザトラッカ１０，１１とターゲット５１との間の相対距離又は絶対距離、またその距離の変化を求めることによって、ターゲット５１までの距離情報を供給する。絶対距離が特に伝播時間測定、位相測定原理によって、又はフィゾーの原理を用いて求められる場合には、距離の変化を求めるために、各距離測定ユニットに対応付けられている干渉計を用いて測定が行われる。測定ビーム１７，２１は、ターゲット５１に入射し、そのターゲット５１において反射されて再び戻ってくるようにレーザトラッカ１０，１１から送出される。続いて、反射された測定ビーム又はその反射された測定ビームの一部がやはりレーザトラッカ１０，１１において検出され、測定パスに沿って干渉計検出器へと案内される。干渉計検出器においては、受信した測定ビーム１７，２１と基準ビームとが重畳される。この重畳によって二つのビームの干渉が生じ、この干渉を検出器において検出し、分解することができる。例えば最大値（建設的な干渉）及び最小値（破壊的な干渉）の検出によって、距離の変化を求めることができる。特にその場合には、検出された輝度最大値及び／又は輝度最小値が継続的にカウントされる。
【００７５】
距離測定を用いた位置決定と、その際に生じている測定レーザビーム１７の配向とによって、照準が合わせられている測定補助対象物５０の回転３自由度を決定することができる。レーザトラッカ１１は更に、測定補助対象物５０の姿勢（回転３自由度）を求めるための機能を有しており、この機能が実行されると、それぞれ可視の基準目印５２を備えている測定補助対象物５０の画像が検出され、測定補助対象物５０の空間的な姿勢が、画像内で検出された、基準目印５２の光点に関する画像位置から導出される。光点に関する画像位置は、例えば各光点についてのコントラスト又は明度分布を基礎とした焦点の計算から決定される。
【００７６】
光点についての画像位置の決定は特に、画像内で検出された、各光点の外観に依存する。画像検出時に光点が完全且つ適切に可視である場合、一般的には、そのような光点は画像内で検出され、またその際に生じている画像属性は、画像内で検出されたその画像内の光点に対応付けることができるものであって、相応の目標属性によって表される属性と一致しているか、又は、それらの目標属性に関する許容範囲内にある。従って、基準目印５２は画像内で期待通りの光点として結像される。
【００７７】
しかしながら、画像検出時に基準目印（ＬＥＤ）５２が部分的に覆い隠されているか、又は、（光点を形成する）ＬＥＤ５２の放出方向がカメラに対して好適でない角度（例えば９０°を超える角度）にある配向で測定補助対象物５０が設けられている場合、検出されたその光点５２は画像内で期待通りの画像属性を有していない。つまり例えば、そのようにして検出された明度分布は、正面から完全に検出された相応の光点に関する分布と（許容範囲の枠内で）一致しない。光点についてそのような質の低い画像特性を用いた場合、焦点の計算又は対応する画像位置の決定から、画像内には目標値から偏差した位置が生じる。
【００７８】
少なくとも一つの点に関するその種のエラーのある画像位置に基づいて、上述の機能によって姿勢を決定する場合、測定補助対象物５０に関する姿勢の決定に同様にエラーが含まれることになる。
【００７９】
姿勢を決定する際のその種のエラーを低減又は回避するために、レーザトラッカ１１は更に本発明による検査機能を有しており、（レーザトラッカ１１の制御及び処理ユニットによって）この検査機能が実行されると、画像内で検出された少なくとも一つの光点が、考慮判定基準は満たされているか否かについて検査される。この考慮判定基準が満たされていない場合には、測定補助対象物５０の姿勢を導出するために、検査された少なくとも一つの光点を考慮する際の、その光点の重みは低い。従って、適切に結像されていない基準目印５２又は、各目印５２によって形成される光点をフィルタリングすることができ、またその結果、特に姿勢を決定する際のエラーを低減することができる。
【００８０】
この関係において、考慮判定基準は、例えば、画像基準としての光点５２に関する目標コントラスト及び／又は目標形状及び／又は空間的な目標面積及び／又は目標明度分布及び／又は（光度に関する）目標総輝度を規定することができるか、又は、画像内で検出された複数の光点に関する、画像内の画像位置の相対的及び空間的な目標位置を規定することができる。
【００８１】
図２ａ及び図２ｂには、測定補助対象物５０と（図２ａ）、測定補助対象物５０におけるＬＥＤ５２によって形成される複数の光点６１が検出されている画像６０と（図２ｂ）が示されている。画像６０を検出するカメラユニットは、特に、実質的にＬＥＤ５２の放射波長又は反射性の基準目印に対する照明波長のみを検出するための波長選択性フィルタを有することができる。これによって、例えば、散乱ビームの影響を回避することができ、また光点の結像の品質を改善することができる。
【００８２】
ここに図示されているような、画像検出カメラに相対的な測定補助対象物５０の正面方向への配向に従い、光点６１は画像６０において最適に結像されており、またその種のＬＥＤ５２に関する各目標結像に対応している。従って、検出されたそれらの光点６１を本発明に従い検査した場合、結像されている全ての光点６１は考慮判定基準を満たしているものとみなされるので、それらの光点６１のいずれも考慮すべきでない光点として識別されることはない。画像６０内で検出されたそれらの光点６１に基づき、各光点６１について一つの画像位置を画像処理によって決定することができる。それらの画像位置と、測定補助対象物５０におけるＬＥＤ５２の既知の相対的な配置構成（またそれによって既知となる、画像６０内の光点６１の相対的な目標位置）とから、測定補助対象物５０の空間的な姿勢を導出することができる。
【００８３】
図３ａには、所定の位置に配置されている複数の基準目印５２，５２ａを備えている測定補助対象物５０が示されているが、幾つかの基準目印５２ａが障害物５５（ここでは例えばユーザの手）によって部分的に覆い隠されている。
【００８４】
図３ｂには、基準目印５２，５２ａに対応する光点６１，６２が検出されている画像６０が示されている。光点６１はそれぞれ、完全に可視である基準目印５２の像を表している。これに対して光点６２はそれぞれ、画像６０における部分的に覆い隠されている基準目印５２ａの像を表している。
【００８５】
それらの光点６１，６２に基づいて、定補助対象物５０の空間的な姿勢を決定する場合、光点６２が期待通りには結像されておらず、従って完全には結像されていないことから、姿勢の決定にある程度のエラーが含まれる可能性がある。これは、光点６２に関する画像位置を決定する際に、画像位置を決定するための焦点の計算において、完全には結像されていない基準目印５２に関する明度分布が使用されたことに起因する。
【００８６】
その種のエラーの発生を低減するために、又はその種のエラーを回避するために、本発明による方法の枠内では、光点６１，６２が、（特に姿勢の決定に関して考慮するために）考慮判定基準が満たされているかについて検査される。このために、検出された画像によって、またその画像内で検出された光点６１，６２によって生じる情報、例えば光点に関する明度分布又は光点６１，６２の相対的な空間関係が、考慮判定基準、例えば光点に関する目標明度分布（局所的な考慮判定基準）と、若しくは、光点６１，６２又は基準目印５２，５２ａの所定の相対的な目標空間関係（大域的な考慮判定基準）と比較される。特に、予め規定されている許容範囲内で情報が考慮判定基準と一致している場合には、検査された各光点が姿勢を決定するために考慮されるか、又は、考慮判定基準と一致しない場合には、光点は低く重み付けされる。
【００８７】
図３ｃに示されている実施の形態によれば、ＬＥＤ５２の既知の相対的及び空間的な配置構成に基づき、画像センサ（又は画像６０内）においてＬＥＤ５２の像がどこに現れなければならないかが計算される。光点６２に関して予測された画像座標から偏差７５を、対応するＬＥＤ５２の部分的な遮蔽に関する指標とすることができる。ＬＥＤ５２が部分的に覆い隠されていることに基づき、光点６２に関する画像座標７２が変わっているので、それによって、外側の空間的な姿勢に関する精度がシステマチックに低下する。
【００８８】
本発明による検査の枠内では、公知のアウトライアーテストを、最初のリセクションの計算後の画像座標７１，７２の残差に適用することができる。全てのＬＥＤの像６１，６２を使用した最初の計算の結果を用いて、全ての画像座標７１，７２に対して残差が計算される。続いて、一つ又は複数の最大残差がランダムな分布（例えば正規分布又はｔ分布）内にあるか否かが検査される。信頼区間を例えば、経験に応じて、又は所望の感度に応じて規定することができる。その後は、場合によっては識別されるアウトライアーを含まずにリセクションが繰り返される。つまり、各光点６２は測定補助対象物５０の空間的な姿勢を決定するためには考慮されない。
【００８９】
図４ａには、図３ａと同様に、所定の位置に配置されている複数の基準目印５２，５２ａを備えている測定補助対象物５０が示されているが、ここでは幾つかの基準目印５２ａが構造的な障害物５５ａ（例えばロボットアームの一部）によって部分的に覆い隠されており、また一つの別の基準目印は完全に覆い隠されている。図４ｂには、（各基準目印５２，５２ａに関する）光点６１，６２が検出されている相応の画像６０が示されている。光点６１はそれぞれ、完全に可視である基準目印５２の像を表している。これに対して光点６２はそれぞれ、画像６０における部分的に覆い隠されている基準目印５２ａの像を表している。測定補助対象物５０の完全に覆い隠されている目印は画像６０において検出されていない。画像６０において検出された光点６１，６２の本発明による検査を、考慮判定基準が満たされているかに関しての上述の検査と同様に実施することができる。
【００９０】
図５ａには、既知の空間関係で配置されており、且つ複数のＬＥＤ５２を備えている測定補助器具５０が示されている。ここではＬＥＤ５２が、測定補助器具５０を検出するカメラに相対的に側方に向けられている。図５ｂには、測定補助器具５０の側方への配向に応じて、ＬＥＤ５２に関する光点６３が検出されている画像６０が示されている。その種の配向においては、ＬＥＤ５２に関する光点６３が歪んで画像センサに結像されるので、その結果、個々の光点６３は、各ＬＥＤ５２の期待通りの完全な結像には対応していない。更に、ＬＥＤ５２ａは構造体５３によって部分的に覆い隠されており、それによって、対応する光点６３ａが歪んでおり、その上、完全には結像されていない。
【００９１】
しかしながら、本発明による検査の枠内では、画像６０から、その画像６０内で検出された光点６３の空間関係を導出し、画像６０内のその空間関係が、測定補助器具５０におけるＬＥＤ５２の既知の空間的な配置構成と実際に一致しているかを確認することができ、それによって、考慮判定基準が満たされているかを確認することができる。このために特に、測定補助機器５０の各姿勢についての相応の本発明による機能を備えているレーザトラッカのデータファイルには、検出された画像６０における各光点６３の見え方に関する各目標値が格納されている。
【００９２】
更に、データファイル又は制御及び処理ユニットには、特に測定補助器具５０の姿勢によっては単一又は複数のＬＥＤ５２の可視性を妨害する可能性がある、測定補助機器５０の構造物５３、及び／又は、測定空間の構造体を記憶することができ、それらの構造体を、考慮判定基準が満たされているかを検査する際に考慮することができる。
【００９３】
図６ａ及び図６ｂには、四角形のＬＥＤの像の明度分布に関する等高線プロット６５，６５ａがそれぞれ示されている。図６ａには、障害物によってＬＥＤが部分的に覆い隠されることなく検出されたＬＥＤの等高線プロット６５が示されている。この種の明度分布６５を、一方では、基準又は満たされるべき考慮判定基準としてシステム（レーザトラッカの制御及び処理ユニット）に格納し、画像内のＬＥＤの像に対する比較画像として使用することができる。他方では、そのような明度分布に関して設定されている考慮判定基準が満たされているかを検査する際に、相応に結像されたＬＥＤに関して、大きい一致度、従って測定補助器具の姿勢の決定に関する光点の考慮基準を規定することができる。
【００９４】
図６ｂには、（図６ａに関して）同一の四角形のＬＥＤの像の明度分布に関する高等線プロット６５ａが示されており、ここではＬＥＤが左側から部分的に覆い隠されている。ＬＥＤが部分的に覆い隠されていることに起因して、この明度分布６５ａはその空間的な面積及び形状が、図６ａによるＬＥＤの覆い隠されていない像に関する分布とは異なっている。本発明による検査機能が実行されると（この分布を形成した、部分的に覆い隠されている光点が検査される）、この光点６５ａに関しては、その種のＬＥＤについての目標明度分布を表す考慮判定基準が満たされていないことが確認され、従ってこの光点は姿勢の決定において考慮されないか、又は考慮する際のその光点の重みは低い。
【００９５】
図７には、ＬＥＤ５２の潜在的な部分的遮蔽を検出するための、測定補助対象物における補助マーキング５６を備えている、測定ターゲットマーク又はＬＥＤ５２の本発明による第１の実施の形態が示されている。補助マーキング５６はここではＬＥＤ５２の周囲にリング状に形成されている。この補助マーキング５６を再帰反射性のシート又はＬＥＤとして実現することができる、及び／又は、ＬＥＤ５２の代わりに、受動的な再帰反射性のシートを設けることができる。測定ターゲットマーク又はＬＥＤ５２の位置は、測定補助対象物の姿勢を決定するための空間的なリセクションの計算に使用される。リング状の補助マーキング５６が画像センサにおいて閉じられずに結像される場合、このことは、測定ターゲットマーク（又はＬＥＤ）５２が部分的に覆い隠されていることを示唆している。
【００９６】
補助マーキング５６を用いる場合の、検出された画像におけるコントラストを高めるために、補助マーキング５６の周囲並びに補助マーキング５６とＬＥＤ５２との間に暗いマスキングが設けられている。
【００９７】
図８には、測定ＬＥＤ５２の潜在的な部分的遮蔽を検出するための、測定補助対象物における補助マーキング又は補助ＬＥＤ５８を備えている、測定ＬＥＤ５２の本発明による第２の実施の形態が示されている。図示されている実施の形態によれば、三つの補助ＬＥＤ５８が測定ＬＥＤ５２の周囲に位置決めされている。補助ＬＥＤ５８のうちの一つ又は二つが画像センサに結像されない場合、このことはやはり、測定ＬＥＤ５２が部分的に覆い隠されていることの典型的な示唆である。補助ＬＥＤは、部分的な遮蔽を一様にどの方向からも確実に検出できるように位置決めされている。カメラ光学系及び画像センサの結像品質に応じて、補助ＬＥＤ５８のこの位置決めに関して、測定ＬＥＤ５２までの個別の「安全距離」を予め想定することができる。
【００９８】
図７によるリング状の補助マーキング５６及び／又は図８による補助ＬＥＤ５８が遮蔽されているか否かの検査に関して、一つの特別な実施の形態によれば、補助マーキング５６及び／又は補助ＬＥＤ５８に関連する画像情報を考慮判定基準と比較するために、本発明による検査方法又は検査機能を実行することができる。このために、考慮判定基準は特に、補助マーキング５６及び／又は補助ＬＥＤ５８の形状及び／又は配置構成に合わせて個別に調整されている。
【００９９】
図示した図面は考えられる幾つかの実施例だけを概略的に示していると解するべきである。また本発明によれば、種々のアプローチをやはり相互に組み合わせることができ、また、対象物を結像するための方法又は対象物の姿勢を決定するための方法と組み合わせることができ、更には、冒頭で述べたような従来技術から公知の測定機器と、特にレーザトラッカと組み合わせることができる。
【図１】
2015537205.tif 000003
【図２ａ】
2015537205.tif 000004
【図２ｂ】
2015537205.tif 000005
【図３ａ】
2015537205.tif 000006
【図３ｂ】
2015537205.tif 000007
【図３ｃ】
2015537205.tif 000008
【図４ａ】
2015537205.tif 000009
【図４ｂ】
2015537205.tif 000010
【図５ａ】
2015537205.tif 000011
【図５ｂ】
2015537205.tif 000012
【図６ａ】
2015537205.tif 000013
【図６ｂ】
2015537205.tif 000014
【図７】
2015537205.tif 000015
【図８】
2015537205.tif 000016
【国際調査報告】
2015537205.tif 000017
2015537205.tif 000018
2015537205.tif 000019
2015537205.tif 000020